【手続補正書】
【提出日】平成18年5月24日(2006.5.24)
【手続補正１】
【補正対象書類名】明細書
【補正対象項目名】特許請求の範囲
【補正方法】変更
【補正の内容】
【特許請求の範囲】
【請求項１】  可視または近可視スペクトル内の光源ビームを２つの概して直角の偏光ビームにおおよそ分光し、かつ該偏光ビームの一方の大部分を１つ以上の角度配向で反射するための反射分散偏光デバイスにおいて、
該デバイスが、
前記光源ビーム内に配置するように構成された複数の薄手で細長の、分離された素子の概して平行な配列を含み、該素子が光源ビームの電磁波と相互作用する手段を備えていることにより、概して、（ｉ）前記素子に対し直角の偏光配向を有し、かつ第１偏光の透過ビームを形成する光は透過され、（ｉｉ）前記素子と平行の偏光配向を有し、かつ第２偏光の反射ビームを形成する光は反射され、
各細長の素子が露光表面を有し、該露光表面が、他の素子の露光表面と一緒に第２偏光の光の大部分を拡散形式で反射する、反射分散偏光デバイス。
【請求項２】  前記複数細長の素子の複数露光表面の大部分が、異なる角度範囲にわたり、第２偏光の光の大部分を拡散反射するように構成された表面模様構造を含む、請求項１に記載された偏光デバイス。
【請求項３】  前記細長素子の配列の大部分が、基準平面を供なう共通の全体的配向と、基準平面に対し直角の共通の基準軸とを共有しており、かつまた前記素子の露光表面が複数の構成要素表面を形成し、該構成要素表面が、関連構成要素表面に対し概して直角の構成要素軸をそれぞれ有しており、該複数の構成要素軸が共通の基準軸に対し或る範囲の異なる角度をなしている、請求項１に記載された偏光デバイス。
【請求項４】  前記細長素子の配列の大部分が、基準平面を供なう共通の全体的配向を共有し、前記素子の露光表面が、基準平面と概して非共面または非平行の複数の構成要素表面を形成している、請求項１に記載された偏光デバイス。
【請求項５】  可視または近可視スペクトル内の光源ビームを２つの概して直角の偏光ビームにおおよそ分光し、かつ該偏光ビームの一方の大部分を１つ以上の角度配向に反射するための反射分散偏光デバイスにおいて、
該デバイスが、
前記光源ビーム内に配置するように構成された複数の薄手で細長の、分離された素子を含み、該素子が光源ビームの電磁波と相互作用する手段を備えていることにより、概して、（ｉ）前記素子に対し直角の偏光配向を有し、かつ第１偏光の透過ビームを形成する光は透過され、（ｉｉ）前記素子と平行の偏光配向を有し、かつ第２偏光の反射ビームを形成する光は反射され、
各細長の素子が露光表面を有し、該露光表面が他の素子の露光表面と一緒に複数構成要素表面を形成し、該構成要素表面が模様構造を形成しており、該構成要素表面の大多数が、頂部を画定する高い部分と底部を画定する低い部分とをそれぞれ有し、各構成要素表面が、構成要素表面の両側の間に形成される直径を有し、模様構造表面の大部分が、可視光または近可視光の波長より大きい各直径を有する構成要素表面により形成され、それにより１つ以上の角度配向で反射ビームを反射する、反射分散偏光デバイス。
【請求項６】  可視または近可視スペクトル内の光源ビームを２つの概して直角の偏光ビームにおおよそ分光し、かつ該偏光ビームの一方の大部分を１つ以上の角度配向に反射するための反射分散偏光デバイスにおいて、
該デバイスが、
光源ビーム内に配置されるように構成され、かつ表面を有する基板と、
該基板表面に配置され互いに間隔をおいた複数の概して平行な、薄手で細長の素子とを含み、各細長素子が、他の素子の露光表面と一緒に平均実効高さに対し複数の小高い輪郭部を形成する露光表面を有し、該平均実効高さが模様構造の反射表面を画定しており、該模様構造の表面の大部分が、可視または近可視スペクトルのほぼ光の波長を超える、細長素子と平行な長さを有する輪郭部によって形成され、該素子が、光源ビームの電磁波と相互作用する手段を備えていることにより、概して、（ｉ）該素子と直角の偏光配向を有し、かつ第１偏光の透過ビームを形成する光は透過し、（ｉｉ）該素子と平行な偏光配向を有し、かつ第２偏光の反射ビームを形成する光は反射し、それによって１つ以上の角度配向に反射ビームを方向づける、反射分散偏光デバイス。
【請求項７】  反射分散偏光デバイスを製造する方法において、
該方法が、表面を有する基板を用意する段階と
概して平行な薄手の別個の素子のパターンを形成するため、基板表面に材料を被着させる段階とを含み、各素子が露光表面を有し、該露光表面が他の素子の露光表面と一緒に、平均実効高さに対し複数の小高い輪郭部を形成し、該平均実効高さが、模様構造の反射表面を画定しており、前記素子が、光源ビームの電磁波との相互作用手段を備えていることにより、概して、（ｉ）該素子に対し直角の偏光配向を有し、かつ第１偏光の透過ビームを形成する光は透過し、（ｉｉ）該素子と平行な偏光配向を有し、かつ第２偏光の反射ビームを形成する光は反射する、反射分散偏光デバイスを製造する方法。
【請求項８】  可視または近可視のスペクトル内の光源ビームを２つの概して直角の偏光ビームにおおよそ分光し、かつ該偏光ビームの一方の大部分を基準平面に対して非正反射形式で反射するための反射偏光デバイスにおいて、
該デバイスが、
前記光源ビーム内に配置するように構成された複数の薄手で分離された細長の素子を含み、該素子が、光源ビームの電磁波との相互作用手段を備えていることにより、概して、（ｉ）前記素子に対し直角の偏光配向を有し、かつ第１偏光の透過ビームを形成する光は透過するが、（ｉｉ）前記素子と平行の偏光配向を有し、かつ第２偏光の反射ビームを形成する光は反射し、
各細長の素子が露光表面を有し、該露光表面が、他の素子の露光表面と一緒に複数の構成要素表面を形成し、細長の素子の配列の大部分が、基準平面を供なう共通の全体的配向と、基準平面に対し直角の共通の基準軸とを共有しており、前記構成要素表面が、それぞれ関連構成要素表面に対し概して直角の構成要素軸を有し、該構成要素軸の大多数が、基準軸に対し類似の配向を有しているが、基準軸からの異なる角度値を有していることにより、第２偏光の大部分が基準平面に対して非正反射形式で反射される、反射偏光デバイス。
【請求項９】  可視または近可視スペクトル内の光源ビームを２つの概して直角の偏光ビームにおおよそ分光し、かつ該偏光ビームの一方の大部分を１つ以上の角度配向で反射するための、液晶ディスプレイと共に使用する反射分散偏光デバイスにおいて、
該偏光デバイスが、
前記光源ビーム内に配置するように構成された複数の薄手で分離された細長の素子の概して平行な配列を含み、該素子が光源ビームの電磁波との相互作用手段を備えていることにより、概して、（ｉ）前記素子に対し直角の偏光配向を有し、かつ第１偏光の透過ビームを形成する光は透過するが、（ｉｉ）前記素子と平行の偏光配向を有し、かつ第２偏光の反射ビームを形成する光は反射し、
各細長の素子が露光表面を有し、該露光表面が、他の素子の露光表面と一緒に第２偏光の光の大部分を拡散形式で反射し、更に前記偏光デバイスが、
液晶材料を横切る電場を設けるように構成された細長の素子に電気接続された電気接触部材とを含む、反射分散偏光デバイス。
【請求項１０】  或る角度範囲にわたり、観察者に可視の光を透過および／または反射することにより可視画像を造出するために光を操作するディスプレイ・デバイスにおいて、
該ディスプレイ・デバイスが、
光を偏光させて単一の偏光配向を有する光だけを透過させ、第１偏光を形成するように構成された第１偏光部材と、
第１偏光部材の背方に配置され、第１偏光から第２偏光へ透過時に光の偏光配向を選択的に変化させる部材に応答可能な偏光変更部材と、
第１偏光の光を透過させる偏光変更部材の背方に配置され、かつ偏光変更部材と第１偏光部材とを透過して戻る第２偏光を分散反射する第２反射分散偏光部材とを含み、該第２偏光部材が、薄手で細長の、間隔をおいた素子の概して平行な配列を有し、各細長の素子が露光表面を有し、該露光表面が、他の素子の露光表面と一緒に第２偏光の光の大部分を拡散反射し、該素子が、光の電磁波との相互作用手段を備えていることにより、概して、（ｉ）素子に対し直角の偏光配向を有する光は透過させ、（ｉｉ）素子に対し平行の偏光配向を有する光は反射させ、それによって光を１つ以上の配向で分散させ、或る角度範囲にわたり可視の画像を造出する、光を操作するディスプレイ・デバイス。